(57)【要約】【課題】  様々な張力のうち所望の張力をかけた状態で糸を巻き取ることができる糸巻き取り装置を提供する。【解決手段】  原糸供給部４は、長尺の糸が繰り出し可能に軸６の回りに収容され、軸６がモータ１０によって回転させられる。原糸供給部４からの糸がスプール４８の軸４２に対してほぼ直角に巻き取られるように、巻取部４０のモータ４６が、軸４２の回りに予め定めたスプール回転速度でスプール４８を回転させる。原糸供給部４からの糸を、軸４２方向に沿って定速度でスライド機構２６が移動させる張力検出器２０が検出した張力が、予め定めた複数の張力のうち、選択されたものとなるように、モータ４６よりモータ１０の速度を遅く制御部５６が制御する。【選択図】  図１
2016088680.tif 000002
【特許請求の範囲】
【請求項１】
長尺の糸が繰り出し可能に糸収容部の軸回りに収容され、前記軸が糸収容部用駆動手段によって回転させられて、前記糸が前記糸収容部から繰り出される糸供給手段と、
前記糸供給手段から繰り出された前記糸がスプールの軸に対してほぼ直角に巻き取られるように、前記スプールの軸の回りに予め定めたスプール回転速度で前記スプールを回転させるスプール用駆動手段と、
前記糸供給手段と前記スプール駆動手段との間に位置し、前記糸供給手段から繰り出された前記糸を、前記スプールの軸方向に沿って定速度で移動させる糸移動手段と、
前記糸供給手段と前記糸移動手段との間に設けられ、前記糸の張力を検出する張力検出手段と、
前記張力検出手段によって検出された張力が、予め定めた複数の張力のうち、選択されたものとなるように、前記スプール駆動手段の速度より前記糸収容部用駆動手段の速度を遅く制御する制御手段とを、
有する糸巻き取り装置。
【請求項２】
請求項１記載の糸巻き取り装置において、前記張力検出手段は、前記糸に接触するローラを有し、このローラが結合されたバーが、前記糸の張力に応じて基準位置から回転し、その回転角度を検出する角度検出手段を有する糸巻き取り装置。
【請求項３】
請求項１記載の糸巻き取り装置において、前記糸供給手段は、前記糸保持部にかせ糸が巻回された糸巻き取り装置。
【発明の詳細な説明】
【技術分野】
【０００１】
本発明は、例えば釣糸のような糸をスプールに巻き取る巻き取り装置に関する。
【背景技術】
【０００２】
従来、糸巻き取り装置としては、例えば特許文献１に開示されているようなものがある。特許文献１の技術によれば、長尺の釣糸が原糸部に繰り出し自在な状態でストックされ、原糸部から送られた釣糸を所定長さごとにスプールに巻きとるための巻取部が設けられ、原糸部から巻取部へ釣糸を強制的に送給部が送給し、送給部から送られる釣糸が巻取部に巻き取られる際に、釣糸をスプールの幅方向にスライド機構がスライドさせ、送給部から送られる釣糸の速度と巻取部に巻き取られる釣糸の速度を一致させるように制御部が制御する。
【先行技術文献】
【特許文献】
【０００３】
【特許文献１】特許第３６４１１９８号
【発明の概要】
【発明が解決しようとする課題】
【０００４】
特許文献１の技術によれば、スプールに釣糸を無張力状態で巻き取ることができる。しかし、糸の種類によっては、張力をかけた状態でスプールに巻き取った方がよいものもあるし、また、その張力も糸の種類によって異なったものとすることが望ましい。
【０００５】
本発明は、様々な張力のうち所望の張力をかけた状態で糸を巻き取ることができる糸巻き取り装置を提供することを目的とする。
【課題を解決するための手段】
【０００６】
本発明の一態様の糸巻き取り装置は、糸供給手段を有している。糸供給手段では、長尺の糸、例えば釣糸が糸収容部の軸の回りに収容されており、前記糸収容部の軸が糸収容部用駆動手段によって回転させられ、糸が糸収容部から繰り出される。糸供給手段から繰り出された糸が、スプール即ちスプールの軸に対して略直角に巻き取られるように、スプールの軸の回りに予め定めたスプール回転速度でスプール用駆動手段がスプールを回転させる。糸供給手段とスプール駆動手段との間に糸移動手段が設けられている。糸移動手段は、糸供給手段から繰り出された糸をスプールの軸方向に沿って定速度で移動させる。糸供給手段と糸移動手段との間に張力検出手段が設けられ、糸の張力を検出する。張力検出手段によって検出された張力が、予め定めた複数の張力のうち、選択された張力になるように、制御手段が、糸収容部用駆動手段の速度をスプール駆動手段の速度よりも遅く制御する。
【０００７】
このように構成された糸巻き取り装置では、張力検出手段によって張力を検出して、その検出値が、予め定めた複数の張力のうち選択された張力となるように、糸収容部用駆動手段を制御手段が制御しているので、所望の張力で糸を巻き取ることができる。しかも、糸供給手段は、糸収容部の軸を、糸収容部駆動手段が回転させて糸を繰り出すように構成しているので、糸収容部の速度を所望の値に容易に制御することができる。例えば、糸収容部から、これとは別に構成された送給部が糸を強制的に繰り出すような構成であれば、送給部によって糸がスリップ等することがあり、所望の速度で糸を繰り出すためには、頻繁に送給部での繰り出し速度を制御しなければならず、安定した制御を行い難い。しかし、本発明のように、糸収容部を直接に糸収容部駆動手段が回転させる構成であれば、スリップ等が生じにくく、容易に所望の速度で繰り出すことができる。
【０００８】
張力検出手段としては、例えば糸に接触するローラを有し、このローラが結合されたバーに回転検出手段を設け、前記バーが糸の張力に応じて基準位置から回転するものとすることができる。このように構成すると、糸の張力に応じてバーの回転角度が変化し、張力が回転角度に変換されて、出力される。
【０００９】
糸供給手段は、糸保持部に、かせ糸が巻回されたものとすることができる。かせ糸を使用すると、糸供給手段に保持されている糸に捻れ等が生じることがない。
【発明の効果】
【００１０】
以上のように、本発明によれば、様々な張力のうち所望の張力をかけた状態で糸をスプールに巻き取ることができるし、その際に使用する糸供給部は、張力制御のために糸収容部の駆動手段の回転速度を調整するので、糸のスリップ等が生じにくく、正確に張力を制御することができる。
【図面の簡単な説明】
【００１１】
【図１】本発明の一実施形態の糸巻き取り装置の平面図である。
【図２】図１の糸巻き取り装置の正面図である。
【図３】図１の糸巻き取り装置で使用する張力検出器の斜視図である。
【図４】図１の糸巻き取り装置のブロック図である。
【発明を実施するための形態】
【００１２】
本発明の１実施形態の糸巻き取り装置は、巻き取られる糸として例えば釣糸を使用するもので、図１に示すように、基台２上に配置された糸供給手段、例えば原糸供給部４を有している。原糸供給部４は、回転軸６を有し、この回転軸６の一端には軸受８が取り付けられ、他端には、糸供給手段用駆動手段、例えばモータ１０が取り付けられている。モータ１０としてはステップモータを使用することが望ましい。従って、モータ１０を回転させることによって、回転軸６も、回転する。この回転軸６には、Ｘ字状にリンク結合された１対のクロスアーム１２、１２の一端がリンク結合され、これらクロスアーム１２、１２の他端である外方端には回転軸６に平行に水平アーム１４が取り付けられている。これらは、図２に示すように回転軸６の回りに所定角度ごとに複数取り付けられている。各水平アーム１４の周囲に、糸、例えばかせの釣糸１６がかけられている。これらアーム１２、１２、１４によって糸収容部が形成されている。モータ１０を回転させることによって、釣糸１６を原糸供給部４から繰り出すことができる。
【００１３】
原糸供給部４の釣糸１６は、図２に示すように、基台２に形成した窓１８から基台２の下方に繰り出され、窓１８の側方に設けた張力検出手段、例えば張力検出器２０のローラ２２に接触して、再び窓１８から基台2の上方に導出されている。なお、張力検出器２０の詳細は、後述する。
【００１４】
張力検出器２０を経た釣糸１６は、ローラ２４を経て、糸移動手段、例えばスライド機構２６に供給されている。スライド機構２６は、原糸供給部４の回転軸６と平行に配置された軸、例えばねじ棒２８を有し、その一端が軸受３０に回転自在に、かつその長さ方向への移動が阻止されて支持され、他端には、移動手段用駆動手段、例えばモータ３２が取り付けられている。ねじ棒２８には、螺合部材３２が螺合しており、その水平な上面上に支持台３４が取り付けられている。従って、モータ３２を正転、逆転させると、支持台３４がねじ棒２８に沿って往復運動する。支持台３４は、その長さ方向が、ねじ棒２８や回転軸６に直角に配置された長方形の板状のもので、その原糸供給部４側の端に回転自在にローラ３６が取り付けられ、反対側の端にもローラ３８が取り付けられている。ローラ３８は、ローラ３６よりも大径のもので、これらの回転軸はねじ棒２８の長さ方向に平行に配置されている。ローラ２４を経た釣糸１２は、ローラ３８に架けられて、折り返され、ローラ３６に架けられて折り返され、原糸供給部４と反対側に導出されている。
【００１５】
スライド機構２６を間に挟んで、原糸供給部４と反対側に、スプール駆動手段、例えば糸巻取部４０が設けられている。この糸巻取部４０は、ねじ棒２８と平行に配置された軸４２を有し、この軸４０の一端が軸受４２によって回転自在に支持され、他端に糸巻取部用駆動手段、例えばモータ４４が取り付けられている。軸４２には、複数のスプール４８が取り付けられている。スプール４８は、円筒状の胴部４８ａの両端に胴部４８ａの直径よりも大きい直径のフランジ４８ｂを設けたもので、胴部４８ａの中心が軸４２に挿通され、かつ各スプール４８が互いに分離可能に軸４２に取り付けられている。これらスプール４８のうちモータ４４に最も近いスプール４８に釣糸１６の先端が固定され、モータ４４を回転させることによって、１つのスプール４８に釣糸１６が巻き付けられ、所定量だけ巻き付けられると、隣接するスプール４８に巻き付け、以下同様にして、各スプール４８に釣糸が巻き付けられる。
【００１６】
スプール４８の胴部４８ａの直径、長さ、釣糸１６の径、１つのスプール４８に巻き付ける釣糸１６の長さを基に設定された一定の速度で、モータ４４が各スプール４８を回転させることによって、釣糸１６がスプール４８に巻き取られる。この巻き取りの際に、釣糸１６がスプール４８に1巻きされるごとに、釣糸１６の直径だけスライド機構２６がねじ棒２８の長さ方向に移動する。これを繰り返すことによって、スプール４８に釣糸１６が平行に巻かれる。スプール４８の一方の端から他方の端まで釣糸１６が巻かれると、スライド機構２６が今までとは逆の方向に移動を開始し、釣糸１６は多層に巻かれる。このようにして所定の長さの釣糸が巻かれると、隣接するスプール４８に同様にして釣糸１６が巻かれる。
【００１７】
張力検出器２０は、基台２の窓１８の側方の下面に、図３に示すように、回転検出器、例えばロータリエンコーダ５０を有し、このロータリエンコーダ５０の回転軸にＬ字状のレバー５２の垂直部分の先端が取り付けられ、そのレバー５２の水平部分が、窓１８の下方に進出し、その水平部分の先端に、回動自在に上述したローラ２２が取り付けられている。このローラ２２に、原糸供給部４から繰り出された釣り糸がかかっており、釣糸の張力が零の場合、レバー５２の垂直部分は垂直であり、釣糸１２に張力がかかっている場合、レバー５２が回転し、ロータリエンコーダ５０も回転する。この回転は、レバー５２のロータリエンコーダ５２との結合部に一端が結合され、他端が基台２に取り付けられたバネ５４の伸びが、釣糸１６の張力とバランスする角度まで回転する。これによって、釣糸１６の張力が、回転角度に変換されて、検出される。
【００１８】
釣糸１６に架ける張力は、モータ４６の回転速度よりもモータ１０の速度を遅くすることによって調整される。そのため、図４に示すように、張力検出器２０の検出信号は、制御部５６に供給される。また、制御部５６には、張力設定器５８から、予め定められた複数の張力のうち選択された張力を表す設定信号が供給される。この設定信号に応じて、選択された張力に対応する基準信号を、基準信号源６０が発生して、制御部５６に供給する。張力検出器２０の検出信号が、基準信号源６０からの基準信号に一致するように、制御部５６が、モータ１０の速度を制御する。
【００１９】
小さな張力を架ける場合、モータ１０の速度は、モータ４６の速度よりもわずかに遅くする。この場合、レバー５２は、わずかに傾斜している。大きな張力を架ける場合、モータ１０の速度は、モータ４６の速度よりも大きく遅くする。この場合、張力検出器２０のレバー５２は大きく傾斜している。中間の張力を架ける場合、モータ１０の速度は上記２つの速度の中間の速度とする。この場合、レバー５２の傾斜も両者の場合の中間の傾斜となる。
【００２０】
このように構成した釣糸巻き取り装置では、原糸供給部４のモータ１０の回転速度を糸巻取部４０の回転速度よりも遅くすることによって、糸巻取部４０でスプール４８に巻き取られる釣糸１６に張力をかけている。しかも、この張力は、予め設定した異なる複数の張力のうち所望の張力がかかるように、原糸供給部４の回転速度を複数の速度から任意に選択できる。さらに、張力検出器２０によって、釣糸１６の張力を検出し、その検出された張力が所望の張力と一致するように原糸供給部４のモータ１０の回転速度を制御しているので、スプール４８に巻き取られた釣糸１６の張力は、常に所望の張力に維持することができる。更に、原糸供給部４は、糸収容部をモータ１０によって直接に駆動するものであるので、糸収容部からスリップすることなく、釣糸１６を繰り出すことができる。
【００２１】
上記の実施形態では、糸供給手段として、かせの釣糸が巻かれた原糸供給部４を使用したが、これに代えて、スプール４８よりも大型のスプールに釣糸を巻いたものを原糸供給部として使用することもできる。上記の実施形態では、糸として釣糸を使用したが、これに限ったものではなく、例えば手術用の糸を巻き取ることもできる。
【符号の説明】
【００２２】
４  原糸供給部（糸供給手段）
１０  モータ（糸供給手段用駆動手段）
２０  張力検出器（張力検出手段）
２６  スライド機構（糸移動手段）
４０  糸巻取部（スプール用駆動手段）
５６  制御部（制御手段）
【図１】
2016088680.tif 000003
【図２】
2016088680.tif 000004
【図３】
2016088680.tif 000005
【図４】
2016088680.tif 000006